(57)【特許請求の範囲】
【請求項１】
農作業機における走行部、作業部、操作部等に設けたセンサ、設定器等の入力系外部機器と、アクチュエータ等の出力系外部機器と、前記各入力系外部機器及び前記各出力系外部機器の制御信号を授受して制御する複数のコントローラユニットと、該各コントローラユニット間を接続する通信回線とを備えて、コントローラユニットの相互に制御データを転送して制御を実行するようにした農作業機における制御装置において、
液晶パネルと液晶パネル用コントローラユニットとをケースに収納して一体化させ、前記ケースの表面に、前記液晶パネルの表示を切替えるための切替えスイッチを設け、
前記通信回線には、前記液晶パネル用コントローラユニットに接続するためのカプラを複数備え、前記液晶パネル用コントローラユニットのコネクタを任意の前記カプラに接続することによって、前記液晶パネルを前記ケースごと配置替えし得るように構成し、
前記液晶パネル用コントローラユニットは、前記切替えスイッチの切替え操作をするごとに、前記各入力系外部機器のうちパルス入力による回転センサの情報を、前記液晶パネルの表示画面に循環表示させ、
前記各回転センサの作動状態が予め設定された設定回転数の範囲から外れたときに、作業モードの変更を促す標識を前記液晶パネルの表示画面に表示するように制御することを特徴とする農作業機における制御装置。
【発明の詳細な説明】
【０００１】
【発明の属する技術分野】
本発明は、コンバイン等の農作業機における制御装置に係り、より詳しくは、複数のコントローラユニット間で連携を取りながら制御データを転送したり、入力系出力系の外部機器の制御を実行する制御装置の構成に関するものである。
【０００２】
【従来の技術】
最近のコンバイン等の農作業機では、制御目標としての、制御量の信号を制御手段に伝るためのセンサや設定器、例えば、走行機体のエンジンの出力（負荷）を制御するアクチュエータとしての電子式ガバナーの燃料噴射量検知センサ（燃料噴射用プランジャの位置調節のためのラック位置の検出センサ）、走行機体に対する走行部の左右の走行クローラの相対的高さを検出する走行部高さセンサ（車高センサ）、穀粒タンク内の穀粒を外部に排出するための排出オーガのコンベヤへの動力を継断するためのオーガクラッチの操作位置検知センサ、前記排出オーガの横筒の水平方向の向きや横筒先端の穀粒排出部の高さを指令（設定）するオーガ位置設定器、また、前記制御信号に応じて制御対象の作動量を検知するためのセンサ、例えば、農作業機の走行速度や、脱穀部の作業部の回転速度を検知する速度センサ、前記排出オーガの横筒の水平方向の向きセンサや高さセンサ等の入力系外部機器と、前記電子ガバナーでの燃料噴射用プランジャを駆動するための電磁ソレノイド、前記左右走行クローラの高さを調節するための油圧シリンダ、前記オーガクラッチを駆動するクラッチアクチュエータ、排出オーガを左右に旋回させるための駆動モータ、排出オーガにおける横筒の水平に対する俯仰角度を調整するための昇降用油圧シリンダ等の各種アクチュエータからなる出力系外部機器を備え、マイクロコンピュータ等の制御手段により、前記出力系外部機器の作動を制御することが通常行なわれている。
【０００３】
ところで、前記入力系外部機器及び出力系外部機器の種類や数が多い場合、最近の制御装置としては、例えば、特開平２−２１９５０６号公報、特開平６−２３３６１４号公報及び実開平７−１９０５９号公報等に開示されているように、マイクロコンピュータ式等の電子制御式のコントローラユニットを複数使用し、各コントローラユニットが互いに連携を取りながら、且つ前記入出力系外部機器を分散させて制御することが開示されている。
【０００４】
そのためには、１つのコントローラユニットを主制御装置（マスターコントローラ）と他のコントローラユニットを従制御装置（スレーブコントローラ）とするか、主従関係がないピア・ツウ・ピア形にて通信回線用配線コードを介して相互のコントローラユニット間を接続する一方、各入出力系の外部機器とコントローラユニットとはデータや電源のための配線コードで電気的に接続していた。
【０００５】
ところで、農作業機においては、オペレータが作業状態を把握できるようにするため、例えば、エンジンの回転数や、扱胴の回転数を視覚的に認識できるうよにするため、各種の表示計器や、液晶パネルを設け、これにて複数の作業部の状態情報（データ）を把握できるようにしていた。
【０００６】
【発明が解決しようとする課題】
しかしながら、前記液晶パネルによる表示であっても、当該液晶パネルの表示面積に限りがあるため、予め定められた複数の作業部の情報しか表示できないように設定されていた。特に、回転数センサをパネル信号でコントローラユニットに入力するような入力系外部機器の信号は、時々刻々変動するものであるため、その情報を認識できないと、作業部の詳細な作業状態を把握しきれないという問題があった。
【０００７】
他方、前記液晶パネルなどの表示装置は、従来は、運転室内の予め定められた箇所に位置固定的に配置していたが、作業の種類やメインテナンス時に、その作業状態（点検）を確認し易い箇所に液晶パネルを配置してほしいというユーザーの希望があった。
【０００８】
本発明は、従来技術におけるこの種の問題を解決するためになされたものであって、作業状態を確実に把握できるようにした農作業機における制御装置を提供することを目的とするものである。
【０００９】
【課題を解決するための手段】
前記目的を達成するため、請求項１に記載の発明の農作業機における制御装置は、農作業機における走行部、作業部、操作部等に設けたセンサ、設定器等の入力系外部機器と、アクチュエータ等の出力系外部機器と、前記各入力系外部機器及び前記各出力系外部機器の制御信号を授受して制御する複数のコントローラユニットと、該各コントローラユニット間を接続する通信回線とを備えて、コントローラユニットの相互に制御データを転送して制御を実行するようにした農作業機における制御装置において、液晶パネルと液晶パネル用コントローラユニットとをケースに収納して一体化させ、前記ケースの表面に、前記液晶パネルの表示を切替えるための切替えスイッチを設け、前記通信回線には、前記液晶パネル用コントローラユニットに接続するためのカプラを複数備え、前記液晶パネル用コントローラユニットのコネクタを任意の前記カプラに接続することによって、前記液晶パネルを前記ケースごと配置替えし得るように構成し、前記液晶パネル用コントローラユニットは、前記切替えスイッチの切替え操作をするごとに、前記各入力系外部機器のうちパルス入力による回転センサの情報を、前記液晶パネルの表示画面に循環表示させ、前記各回転センサの作動状態が予め設定された設定回転数の範囲から外れたときに、作業モードの変更を促す標識を前記液晶パネルの表示画面に表示するように制御することを特徴とするものである。
【００１０】
【００１１】
【００１２】
【００１３】
【発明の実施の形態】
次に本発明を具体化した実施形態について説明すると、図１はコンバインの左側面図、図２はコンバインの右側面図、図３は正面図、図４は動力伝動系のスケルトン図、図５は油圧回路図、図６は運転部の上面図、図７（ａ）は液晶パネルの第１表示画面を示し、図７（ｂ）は第２表示画面を示す図、図８は主変速レバーの握り部に設けた各種操作レバー等を示す斜視図、図９〜図１２は各コントローラユニットに接続する入出力外部機器の種類を示す機能ブロック図、図１３は本発明に係る制御装置の接続状態を示す機能ブロック図である。
【００１４】
本発明のコンバインにおける走行機体１は、左右一対の走行クローラ２ａ式の走行部２に対して後述する走行部昇降駆動手段を介して昇降可能に構成されている。走行機体１の進行方向に向かって左側には作業部としての脱穀装置３を搭載し、走行機体１の前部に配置された作業部としての刈取前処理装置４は、昇降フレーム１４を介して走行機体１に対して上下昇降回動可能に支持され、該昇降フレーム１４と走行機体１との間に装着された刈取部昇降アクチュエータとしての単動式の刈取部昇降油圧シリンダ９により昇降動可能に構成されている。
【００１５】
刈取前処理装置４の下部フレームの下部側にはバリカン式の刈刃装置５を、前方には６条分の穀稈引起装置６が配置され、穀稈引起装置６と脱穀装置におけるフイードチェン７前端との間には穀稈搬送装置８が配置され、穀稈引起装置６の下部前方には分草体１０が突出している。走行機体１の右側前部に運転室１１が配置され、その後側に穀粒タンク１２が配置されている。
【００１６】
運転室１１の後方下部等に備えたエンジン１５からの動力の一部は、図４に示すように、オーガクラッチ１６を介して穀粒タンク１２内の底スクリューコンベヤ１７、排出オーガ２８内の縦横スクリューコンベヤ１８ａ，１８ｂに伝達される一方、動力分岐ミッション１９を介して走行部２の油圧ポンプ・油圧モータ式（ＨＴＳ式）走行駆動部２４の脱穀部３の扱胴３ａや唐箕２１、一番受樋のスクリューコンベヤ２２ａ、二番受樋のスクリューコンベヤ２２ｂやフイードチェン７、穀粒タンク１２への揚穀スクリューコンベヤ２３等を回転駆動させる。刈取前処理装置４への動力伝達は、走行速度を同期するときには前記走行駆動部２４からの出力軸２６を介して実行され、同期しないときには前記動力分岐ミッション１９からの分岐動力とクラッチ２５ａとにより駆動される。
【００１７】
図１及び図２に示すように、穀粒タンク１２内の穀粒を機外に排出するための排出オーガ２８は、穀粒タンク１２の下部に設けた底スクリューコンベヤ１７から走行機体１の後端に配置した縦パイプ２８ｂと、その上端に上下回動可能に連設された横パイプ２８ａとからなり、各パイプ内にスクリューコンベヤ１８ａ等を内装している。そして、縦パイプ２８ｂは、駆動モータ６４ｂとギヤ機構５７とにより縦軸回りに旋回可能であり、横パイプ２８ａは縦パイプ２８ｂとの間に装架された排出オーガ用油圧シリンダ６４ａと、リンク機構５８とにより傾斜角度を変更可能に構成されている。
【００１８】
そして、駆動モータ６４ｂに設けたロータリエンコーダ等の角度センサ８５にて縦パイプ２８ｂの水平旋回角度、ひいては横パイプ２８ａの旋回位置を検出することができ、リンク機構５８もしくは油圧シリンダ６４ａの箇所に設けたポテンショメータ等の角度センサ８６にて横パイプ２８ａの俯仰角度、ひいては横パイプ２８ａの先端の排出部の高さ位置を検出することができる。なお、排出オーガ２８を使用しないときには、穀粒タンク１２の上面等に設けたレスト台８７等に横パイプ２８ａの中途部が載置される。さらにこのレスト台８７には前記横パイプ２８ａが載置されたか否かを検知するための接触センサ等のレスト検出器８８が設けられている。
【００１９】
走行部２は左右一対のトラックフレーム５０，５０の前後端に各々配置した駆動輪５１と従動輪５２とトラックフレーム５０の下面中途部に配置された複数の転動輪５３との外周に巻回された走行クローラ２ａからなり、左右トラックフレーム５０，５０と走行機体１とは、左右の昇降制御用油圧シリンダ５４ａ，５４ｂと前後位置の側面視Ｌ字状の前後レバーを同時に作動させるように連結する連結杆等とからなる走行部昇降駆動手段を介して連結され、左右の昇降制御用油圧シリンダ５４ａ，５４ｂ（図５参照）は互いに独立的に作動させることにより、左右の走行部２，２を走行機体１の左右に対して独立的に昇降させる。
【００２０】
従って、左右両側の昇降制御用油圧シリンダ５４ａ，５４ｂのピストンロッドを同時に突出させると、走行機体１は左右両側の走行部２，２に対して上方に離れて（上昇し）、走行機体１の走行部２，２に対する相対高さ（車高）は高くなる。逆に、前記ピストンロッドを同時に後退させると、走行機体１は左右両側の走行部２，２に対して下方に離れて（下降し）、走行機体１の走行部に対する相対高さ（車高）は低くなる。
【００２１】
そして、左側の油圧シリンダ５４ａのピストンロッドを突出させる、または右側の油圧シリンダ５４ｂのピストンロッドを後退させると（もしくはこの両方の動作を同時に実行しても）、右側の走行部２に対する走行機体１の車高は低くなり（左側の走行部２に対する走行機体１の車高は高くなり）、走行機体１は右下がりに傾斜する。逆に、右側の油圧シリンダ５４ｂのピストンロッドを突出させる、または左側の油圧シリンダ５４ａのピストンロッドを後退させる、（もしくはこの両方の動作を同時に実行しても）、左側の走行部２に対する走行機体１の車高は低くなり（右側の走行部２に対する走行機体１の車高は高くなり）、走行機体１は左下がりに傾斜するのである。
【００２２】
左右の昇降制御用油圧シリンダ５４ａ，５４ｂのピストンロッドの突出量を検出することにより、走行機体１の左右各走行部２，２に対する相対高さ（車高）を検出するためのロータリエンコーダ式等の車高検出センサ７２ａ，７２ｂが、前記連結杆に連設した連結ロッドやリンク機構を介して連動するように構成されている。
【００２３】
また、走行機体１の左右の傾斜程度を検出するための傾斜検出センサ７４は、振り子式（重力式）等にて構成され、走行機体１の任意の位置例えば運転室１１内等に配置されている。なお、刈取前処理装置４と圃場面との対地高さを検出して刈高さを検出するための刈高さセンサとしての超音波センサ２０ａ，２０ｂは、図３に示すように、刈取前処理装置４の左右両側端の前記穀稈引き起こし装置６の裏面側に設けたブラケット（図示せず）に配置し、各超音波センサ２０ａ，２０ｂにおける発信器の発信部（ホーン部）と受信器の受信部とを圃場面に向けるように配置する。各超音波センサ２０ａ，２０ｂの設置高さと刈刃５の設置高さとが異なる場合には、超音波センサ２０ａ，２０ｂの検出値から所定の換算により、刈高さ検出値を求めるようにしている。
【００２４】
また、走行機体１と刈取前処理装置４との相対高さを検出するための昇降ポジションセンサ７１は、前記昇降フレーム１４の回動角度を検出することより求めることができるように構成されている。
【００２５】
図５は、前記昇降用油圧シリンダ５４ａ，５４ｂ等のための油圧回路を示し、油圧ポンプ６０からの吐出する圧油を分流する分流弁６３を介して分岐し、その一方の吐出路から前記刈取前処理装置４を昇降させる刈取部昇降アクチュエータとしての油圧シリンダ９と、右側（運転室１１側）の昇降制御用油圧シリンダ５４ｂとに対する第１油圧回路６１へ送る。分流弁６３の他方の吐出路からは、排出オーガ２８の横パイプ２８ａの縦パイプ２８ｂに対する傾斜角度を変更するための排出オーガ昇降用油圧シリンダ６４ａと、左側の昇降制御用油圧シリンダ５４ａとに対する第２油圧回路６２へ送るように構成され、それぞれの油圧シリンダ９、６４ａ、５４ａ、５４ｂに対する電磁制御弁６５、６６、６７、６８や逆止弁、リリーフ弁等が接続されている。
【００２６】
次に、運転室１１に備わる各種操作用のレバー、スイッチ類の構成について、図６〜図９を用いて説明する。運転室１１の操縦座席１４６の前方には、走行機体１を操向操作する操向丸ハンドル１４７と、アクセルレバー１９５とを備え、操縦座席１４６の左方には、前後に長いサイドコラム１４８を配置している。
【００２７】
図６に示すように、前記サイドコラム１４８の前端部位には、自動モード及び手動モードの如何に拘らず、車高制御の場合の走行機体１の高さ（車高）を変更調節操作できる手動可変操作部としての車高調節レバー７３と、走行機体１の左右傾斜角度を設定するための傾斜設定器７４ａとが配置されている。その後部位には後に詳述する液晶パネル７７が配置されている。その近傍には、警告ブザー停止スイッチ１３３が配置され、さらにその後部位には車速を無段階変速させる主変速レバー１４９と、作業状態に応じてＨＳＴ式走行駆動部１９の出力及び回転数を所定範囲に設定保持する副変速レバー１６０とが左右に平行状に配置され、それぞれのレバー１４９、１６０が前後方向に回動するように構成されている。副変速レバー１６０より右寄りのサイドコラム１４８上には、刈取自動昇降スイッチ１３１と、刈高さ調節ボリューム１５０が配置されている。
【００２８】
また、前記副変速レバー１６０の後方には、刈取と脱穀との作業のための作業レバー１５２は前後回動可能に配置されており、作業レバー１５２を最前傾させるときには、刈取スイッチ１３４及び脱穀スイッチ１３５の両方がＯＦＦ、後傾するときの第１段階で刈取スイッチ１３４がＯＮで且つ脱穀スイッチ１３５がＯＦＦ、第２段階で刈取スイッチ１３４及び脱穀スイッチ１３５の両方がＯＮとなるように構成されている。
【００２９】
前記主変速レバー１４９の握り部１４０ａには、右側面にオートリフトスイッチ１３７とオートセットスイッチ１３８とが設けられ、前側面には、後傾すると刈取前処理装置４が上昇し、前方に倒すと下降する刈取り昇降レバー１３９が配置され、その左側には、後傾すると最深方向になる扱深さ調節レバー１４０が配置されている（図８参照）。
【００３０】
前記液晶パネル７７は、文字、記号、図画、画像等の情報が表示できるカラーのドットマトリックス形のもの、例えば、ＴＦＴカラー液晶ディスプレイ等を用いられるが、白黒型であっても良い。表示切替え等制御のための液晶パネル用コントローラユニット１７０を、液晶パネル７７の裏面に配置し、ケース７７ａに収納させて一体化させ、設置位置を任意に変更可能なように構成されている（図７（ａ）等参照）。そして、該ケース７７ａの表面等には液晶パネル７７の表示画面を切替えるための切替えスイッチ１５１を設ける。なお、図７（ａ）は、コンバインの各種制御の実行状況等の情報を表示する第１の表示画面を示し、図７（ｂ）は第２の表示画面を示す。また、図６に示す実施形態では、液晶パネル７７をサイドコラム１４８上面のうちの前端寄り部位に配置したものである。
【００３１】
また、前記液晶パネル用コントローラユニット１７０には、後述する各コントローラユニットＣ１，Ｃ２，Ｃ３，Ｃ４とデータ通信でき、且つ各コントローラユニットＣ１〜Ｃ４に接続された全ての入力系外部機器７５及び出力系外部機器７６の入出力を管理・制御できるアプリケーションソフト（プログラム）を格納している。さらに、作業モードにおける複数のパルス入力系外部機器の作業状態の表示切替えのための切替えスイッチ１５１が液晶パネル用コントローラユニット１７０に接続されている（図１３参照）。
【００３２】
パルス入力系外部機器としては、車速センサ１００、２番受樋スクリューコンベヤ回転センサ１０１、扱胴回転センサ１１３、処理胴回転センサ１１４及びエンジン回転センサ１１９がある（図１３参照）。これらのセンサは、ロータリエンコーダ等を使用するからである。
【００３３】
図１３は、走行機体１の走行速度、姿勢及び車高、排出オーガ２８の排出位置等コンバインの操作全般を制御すると共に複数の入力系外部機器７５の動作状態の表示を切り替えて１つの液晶パネル７７にて表示するための制御装置の機能ブロック図を示し、図１４は、前記液晶パネル７７の設置箇所を複数の箇所に配置替えできるようにするため、通信回線としての通信配線コード７０に、液晶パネル接続のための分岐線７０ａ，７０ｂを複数箇所に設け、その先端のカプラ１５２，１５２に接続可能にした構成を示す。該制御装置は、マイクロコンピュータ等の電子式制御装置であり、図９〜図１２に示す複数個（実施形態では４つ）のコントローラユニットＣ１，Ｃ２，Ｃ３，Ｃ４と、前記液晶パネル用コントローラユニット１７０と、これらの間を接続するデータバス、コントロールバス、アドレスバスを含むＬＡＮ通信等の通信回線からなり、この通信回線は、２本の心線を対縒りに縒り合わせたものや、中心線のまわりに絶縁体を介して外装線（網線または金属テープ）にて被覆した同軸線等からなる通信配線コード（通信ケーブルともいう）７０であって、本実施形態では、ＬＡＮ（Local Area Network) 用のものであって、バス形状トポロジー（接続形態）を採用する（図１３参照）。
【００３４】
各コントローラユニットＣ１〜Ｃ４、及び液晶パネル用コントローラユニット１７０は図示しないが各種演算処理や制御を実行するための中央処理装置（ＣＰＵ）や、制御プログラムを記憶させた読み出し専用メモリ（ＲＯＭ）、各種の検出値、データ等を一時的に記憶させる随時読み書き可能メモリ（ＲＡＭ）、電気的に消去及び書込み可能な不揮発性メモリとしてのＥＥＰＲＯＭ、タイマ機能としてのクロック、インターフェイス及びＬＡＮ（Local Area Network) プロトコルまたはＣＡＮ（Controller Area Network)プロトコルを用いる通信のための通信回路等の制御部等を備える。
【００３５】
また、前記実施形態のコントローラユニットＣ１〜Ｃ４のＲＯＭの各々には、それぞれに対応するアプリケーション制御プログラム（ソフト）Ｓ１，Ｓ２，Ｓ３，Ｓ４を予め記憶（格納）している。ここで、アプリケーション制御プログラムとは、後述センサや設定器等の入力系外部機器７５からの入力データ（制御信号）に基づいてアクチュエータ等の出力系外機器置７６を作動させるための制御プログラムをいう。
【００３６】
アプリケーション制御プログラムＳ１は、脱穀装置３及び刈取前処理装置４の各種アクチュエータ（例えば刈取昇降用油圧シリンダ９等）を作動させる制御プログラムとし、アプリケーション制御プログラムＳ２は、刈取昇降用油圧シリンダ９及び走行機体１の左右の昇降用油圧シリンダ５４ａ，５４ｂを作動させて、刈取前処理装置４の刈高さ制御や走行機体１の姿勢及び車高制御を実行するための制御プログラムとする。アプリケーション制御プログラムＳ３は、エンジン１２の出力を制御するための制御プログラムとし、アプリケーション制御プログラムＳ４は、排出オーガ２８における駆動モータ６４ｂ及び上下回動用油圧シリンダ６４ａの作動を制御するための制御プログラムとする。
【００３７】
各コントローラユニットＣ１〜Ｃ４は、目安として、入力系外部機器７５及び出力系外部機器７６のハーネスの長さがなるべく短くなるように組み合せてそれらを制御するようにしており、それぞれの配置箇所でコントローラボックス（図示せず）内に格納されている。
【００３８】
例えば、コントローラユニットＣ１は、運転室１１における床板の下面側に設置されている（図１、図２、図３参照）。当該コントローラユニットＣ１の入力インターフェイスには、入力系外部機器７５として、昇降ポジションセンサ７１、刈取前処理装置４において刈取穀稈を搬送しているか否かを検出する穀稈搬送センサ９６、搬送中の刈取穀稈の長さを検出する穀稈長さセンサ９７、扱深さセンサ９８、オーガクラッチモータスイッチ９９、超音波センサ４４ａ，４４ｂ、車速センサ１００、２番受樋スクリューコンベア回転センサ１０１、操向丸ハンドルリミットスイッチ１０２等が各々接続されている（図９参照）。
【００３９】
コントローラユニットＣ１の出力インターフェイスには、出力系外部機器７６として、扱深さ制御モータにおけるリレーユニット等の制御回路部１０３、オーガクラッチモータにおけるリレーユニット等の制御回路部１０４、脱穀クラッチを駆動させるための電磁ソレノイド１０５等がそれぞれ接続されている（図９参照）。
【００４０】
コントローラユニットＣ２は、図１、図２及び図３に示すように、刈取前処理装置４の上部でかつ運転室１１に近い箇所に設置されている。当該コントローラユニットＣ２の入力インターフェイスには、入力系外部機器７５として、燃料センサ１０６、傾斜センサ４３、車高センサ４１ａ，４１ｂ、選別装置の流穀板における籾流量センサ１０７、選別装置各部での籾の有無を検出する籾センサ１０８、排藁カッタ詰まりセンサ１０９、旋回角センサ８５、横オーガ筒１７の先端部に設けて排出オーガ１３の水平旋回等を操作する排出オーガ先端操作部１１０、上下回動角センサ８６、オーガクラッチセンサ１１１、排出オーガ過負荷センサ１１２、搖動選別過負荷センサ１１３、扱胴回転センサ１１４、処理胴回転センサ１１５等がそれぞれ接続されている（図１０参照）。
【００４１】
コントローラユニットＣ２の出力インターフェイスには、出力系外部機器７６として、搖動選別駆動モータ１１６、ＦＣクラッチ駆動回路部１１７、排出オーガ２８の縦オーガ筒２８ｂを水平旋回させるための駆動モータ６４ｂ、排出オーガブレーキ１１８、上下回動用油圧シリンダ６４ａに対する電磁制御弁６６の電磁ソレノイド６６ａ、走行機体１の左側の昇降用油圧シリンダ５４ａに対する電磁制御弁６７の電磁ソレノイド６７ａ、走行機体１の右側の昇降用油圧シリンダ３８ｂに対する電磁制御弁６８の電磁ソレノイド６８ａ、刈取昇降用油圧シリンダ９に対する電磁制御弁６５の電磁ソレノイド６５ａ等がそれぞれ接続されている（図１０参照）。
【００４２】
コントローラユニットＣ３は、図１、図２及び図３に示すように、運転室１１における操縦座席４６の後部に設置されている。当該コントローラユニットＣ３の入力インターフェイスには、入力系外部機器７５として、エンジン回転数センサ１１９、エンジンオイル量センサ１２０、エンジン水温センサ１２１、エンジン１２の出力（負荷）を制御する電子ガバナ付き燃料噴射ポンプのラック位置を検出するための燃料噴射ポンプラック位置センサ１２２、エンジンスタータスイッチ１２３、排出オーガ１３の水平旋回位置を予め記憶させるためのオーガセット位置ダイヤル１２４、運転室１１に設けて排出オーガ１３の水平旋回等を操作する排出オーガ操作部１２５、刈取クラッチモータリミットスイッチ１２６等がそれぞれ接続されている（図１１参照）。
【００４３】
コントローラユニットＣ３の出力インターフェイスには、出力系外部機器７６として、エンジン１２の回転数が所定の回転数となるように燃料噴射ポンプのラック位置を調節するための燃料噴射ポンプラックアクチュエータ１２７、エンジンスタータリレー１２８、警報ブザー１２９等がそれぞれ接続されている（図１１参照）。
【００４４】
コントローラユニットＣ４は、運転室１１のサイドコラム４８内に設置されている（図１、図２及び図３参照）。当該コントローラユニットＣ４の入力インターフェイスには、入力系外部機器７５として、アクセルレバー９５の操作位置を検出するアクセルレバーセンサ９５ａ、車高調節レバー７３、車高制御切替スイッチ７８、傾斜設定器７４ａ、扱深さ自動制御スイッチ１３０、刈取自動昇降スイッチ１３１、刈取前処理装置４が所定の刈高さまで下降すると自動的に当該刈取前処理装置４へ動力伝達するための刈取オートクラッチスイッチ１３２、警告ブザー停止スイッチ１３３、刈取作業を実行するための刈取スイッチ１３４、脱穀作業を実行するための脱穀スイッチ１３５、選別装置における穀粒の選別状態を調節するための選別調節ダイヤル１３６、刈取前処理装置４を強制的に上昇させるオートリフトスイッチ１３７、刈取前処理装置を所定の刈高さまで強制的に下降させるオートセットスイッチ１３８、刈取前処理装置４の昇降動を手動操作するための刈取昇降レバー１３９、扱深さ調節レバー１４０、副変速レバー１６０、走行機体１を後退動させるための後退スイッチ１４１、電源スイッチ１４２等がそれぞれ接続されている（図１２参照）。
【００４５】
コントローラユニットＣ４の出力インターフェイスには、出力系外部機器７６として、車高制御を自動モードに切り換えたときに点灯する車高制御切替えスイッチランプ１４３及び扱深さ自動制御モードに切り換えたときに点灯する扱深さ自動制御スイッチランプ１４４等が接続されている（図１２参照）。
【００４６】
次に、図１３を参照しながら、パネル入力系外部機器の作動状態の標識（情報）を切替える制御について説明する。図７（ａ）及び図７（ｂ）に示すごとく、切替えスイッチ１５１の一回押下毎に液晶パネル７７の表示画面のうち、パネル入力系外部機器の表示部画面１５４の表示が変更される。例えば、第１回目の切替えスイッチ１５１の押下により、図７（ａ）に示す画面となる。ここでは、エンジンの回転数表示部１８０と、エンジンの負荷モニター部１８１と、燃料計と扱深さとの切替え表示部１８３とが前記表示部画面１５４に表れる。他の表示部である、穀粒タンク１２内の穀粒集積量表示部１８２、バッテリチャージ表示部１８４、油圧パイロットランプ１８５、エンジン冷却水の水温パイロットランプ１８６、刈取り部の穀稈詰まりモニター部１８７、扱胴・処理胴の詰まり状態を検知するモニター部１８８は、切替えスイッチ１５１の押下によって変化しないものとする。
【００４７】
そして、第２回目の切替えスイッチ１５１の押下により、図７（ｂ）に示す画面となり、ここでは、第１表示部１８９に文字等にて現在選択されているパルス入力系外部機器が何であるかを表示し、第２表示部１９０には、そのパルス入力系外部機器の現在の作動状態を示す情報（データ）を棒グラフや図形等にて表示するのである。従って、切替えスイッチ１５１の押下ごとに、例えば、パルス入力系外部機器として、エンジン回転センサ１１９→車速センサ１００→２番受樋スクリューコンベヤ回転センサ１０１→扱胴回転センサ１１３→処理胴回転センサ１１４→エンジン回転センサ１１９というように循環表示されることになる。
【００４８】
なお、各パルス入力系外部機器の作動状態が標準値もしくは設定値の所定範囲から外れた時には、警報ブザー１２９を作動させて報知するか、液晶パネル７7 の所定箇所に作業モードを切替えることを催促する表示を出すようにして、オペレータの注意を促すことが好ましい。
【００４９】
図１４は、前記の構成の液晶パネル７７の設置位置を変更できる構成であり、運転者の好みで見易い箇所、例えば、運転室１１内のうち、前記サイドコラム８４の他、丸ハンドル１４９の前方の右側位置やフロントウインドウの上部寄り位置に設けても良いし、さらには、例えば、エンジンが運転室１１から遠く離れた後端寄りに配置されているときの、エンジンのメインテナンス作業が容易になるような箇所に配置替え可能とするのである。そのため、通信配線コード７０の分岐線７０ａ，７０ｂを前記の配置可能な箇所まで延長させ、該各分岐線の先端に、液晶用コントローラユニット１７０のコネクタ１５３と接続すべきカプラ１５２を予め装着しておくのである。なお、各コネクタ１５３に電源コード１５４、１５５を接続して、液晶用コントローラユニット１７０及び液晶パネル７７に電力を供給できるように構成することはいうまでもない。
【００５０】
パルス入力系外部機器７５及び出力系外部機器７６（出力系操作手段）が多数あっても、それらの信号は各コントローラユニットＣ１，Ｃ２，Ｃ３，Ｃ４及び前記通信回線（通信配線コード７０）を介して前記液晶用コントローラユニット１７０に伝達できるから、従来のように、全ての入出力系外部機器に直接繋がる配線コードを液晶パネルに結線する必要がなくなり、配線コード（ハーネス）の省線化を図ることができる。なお、液晶用コントローラユニット１７０内に点検（検査）用のアプリケーションソフトを内蔵すれば、前記全ての出力系外部機器７６を点検（検査）するシステムを構築することも可能となる。
【００５１】
本発明における通信回線は、ＬＡＮ（Local Area Network) プロトコルを用いたり、ＣＡＮ（Controller Area Network)プロトコルを用いても良い。また、コンバインばかりでなく耕作用のトラクタや田植機等の走行農作業機についても適用できるものであることは言うまでもない。
【００５２】
【発明の効果】
以上に説明したように、請求項１に記載の発明の農作業機における制御装置は、農作業機における走行部、作業部、操作部等に設けたセンサ、設定器等の入力系外部機器と、アクチュエータ等の出力系外部機器と、前記各入力系外部機器及び前記各出力系外部機器の制御信号を授受して制御する複数のコントローラユニットと、該各コントローラユニット間を接続する通信回線とを備えて、コントローラユニットの相互に制御データを転送して制御を実行するようにした農作業機における制御装置において、液晶パネルと液晶パネル用コントローラユニットとをケースに収納して一体化させ、前記ケースの表面に、前記液晶パネルの表示を切替えるための切替えスイッチを設け、前記通信回線には、前記液晶パネル用コントローラユニットに接続するためのカプラを複数備え、前記液晶パネル用コントローラユニットのコネクタを任意の前記カプラに接続することによって、前記液晶パネルを前記ケースごと配置替えし得るように構成し、前記液晶パネル用コントローラユニットは、前記切替えスイッチの切替え操作をするごとに、前記各入力系外部機器のうちパルス入力による回転センサの情報を、前記液晶パネルの表示画面に循環表示させ、前記各回転センサの作動状態が予め設定された設定回転数の範囲から外れたときに、作業モードの変更を促す標識を前記液晶パネルの表示画面に表示するように制御することを特徴とするものである。
【００５３】
従って、オペレータが最も見易い箇所に液晶パネルを設置でき、通常の作業やメインテナンスの能率を向上させることができるという効果を奏する。また、前記切替えスイッチの切替え操作をするごとに、前記各入力系外部機器のうちパルス入力による回転センサの情報が、前記液晶パネルの表示画面に循環表示されるから、複数の回転センサの作動状態を選択的に任意に観測できることになり、複数の作業部の作業状態を詳細且つ正確に把握できるという効果を奏する。その上、前記各回転センサの作動状態が予め設定された設定回転数の範囲から外れたときに、作業モードの変更を促す標識を前記液晶パネルの表示画面に表示するので、作業者（オペレータ）に異常状態を認識させて正常に戻す機会を迅速に与えることができる効果も奏する。
【００５４】
【００５５】
【００５６】
【図面の簡単な説明】
【図１】  コンバインの左側面図である。
【図２】  コンバインの右側面図である。
【図３】  コンバインの正面図である。
【図４】  動力伝達系のスケルトン図である。
【図５】  油圧回路図である。
【図６】  運転部の上面図である。
【図７】  （ａ）は液晶パネルの第１の表示画面を示す図、（ｂ）は第２の表示画面を示す図である。
【図８】  主変速レバーの要部を示す拡大斜視図である。
【図９】  コントローラユニットＣ１の機能ブロック図である。
【図１０】  コントローラユニットＣ２の機能ブロック図である。
【図１１】  コントローラユニットＣ３の機能ブロック図である。
【図１２】  コントローラユニットＣ４の機能ブロック図である。
【図１３】  本発明の制御装置の第１実施形態の構成を示す機能ブロック図である。
【図１４】  本発明の制御装置の第２実施形態の構成を示す機能ブロック図である。
【符号の説明】
Ｃ１，Ｃ２，Ｃ３，Ｃ４，Ｃ５      コントローラユニット
７０      通信配線コード
７５      入力系外部機器
７６      出力系外部機器
７７      液晶パネル
７９      機器配線コード
１００      車速センサ
１０１      ２番受樋スクリューコンベヤ回転センサ
１１３      扱胴回転センサ
１１４      処理胴回転センサ
１１９      エンジン回転センサ
１５１      切替えスイッチ
１７０      液晶パネル用コントローラユニット
【図１】
0004516703.tif 000002
【図２】
0004516703.tif 000003
【図３】
0004516703.tif 000004
【図４】
0004516703.tif 000005
【図５】
0004516703.tif 000006
【図６】
0004516703.tif 000007
【図７】
0004516703.tif 000008
【図８】
0004516703.tif 000009
【図９】
0004516703.tif 000010
【図１０】
0004516703.tif 000011
【図１１】
0004516703.tif 000012
【図１２】
0004516703.tif 000013
【図１３】
0004516703.tif 000014
【図１４】
0004516703.tif 000015